(57)【要約】【課題】  ユーザが視聴契約情報の取得したい時期を自由に選択することができるとともに、二次電池の充電状態によらずにユーザの好みのタイミングで視聴契約情報を迅速に取得することができるようにする。【解決手段】  メインマイコン１０により、メインシステム電源が切のとき、サブマイコン１２に対し二次電池１５への充電を指示し、かつ受信に関わる回路及び再生に関わる回路の動作を停止させる充電モードと、メインシステム電源が切のとき、サブマイコン１２に対し二次電池１５への高速充電を指示し、充電終了後は受信に関わる回路を動作させてＣＡ情報の受信に移行する充電後スタンバイモードと、メインシステム電源が切のとき、受信に関わる回路を動作させてＣＡ情報を受信状態とし、同時にサブマイコン１２に対し二次電池１５への充電を指示するスタンバイモードのいずれかが実行されるようにする。【選択図】  図１
2006140692.tif 000002
【特許請求の範囲】
【請求項１】
映像又は音声情報に加え視聴契約情報を含む放送信号を受信し、前記視聴契約情報を元に有料放送の視聴が可能な放送受信端末であって、
前記放送信号を受信する受信手段と、
前記受信した放送信号のうち前記映像又は音声情報を再生する再生手段と、
前記受信した放送信号のうち前記視聴契約情報を抽出処理する抽出手段と、
当該放送受信端末全体に対し給電を行う二次電池に充電処理を行う充電手段と、
当該放送受信端末の待機状態において、前記二次電池への充電処理と同時に前記視聴契約情報の抽出処理を行う制御モードを有した制御手段とを備える
ことを特徴とする放送受信端末。
【請求項２】
映像又は音声情報に加え視聴契約情報を含む放送信号を受信し、前記視聴契約情報を元に有料放送の視聴が可能な放送受信端末であって、
前記放送信号を受信する受信手段と、
前記受信した放送信号のうち前記映像又は音声情報を再生する再生手段と、
前記受信した放送信号のうち前記視聴契約情報を抽出処理する抽出手段と、
当該放送受信端末全体に対し給電を行う二次電池に充電処理を行う充電手段と、
前記二次電池への充電処理と同時に前記視聴契約情報の抽出処理を行う第１制御モードと、前記二次電池への充電処理の後に前記視聴契約情報の抽出処理を行う第２御モードとのいずれかを選択する選択手段と、
当該放送受信端末の待機状態において、前記選択手段により選択された前記第１又は第２制御モードに応じて前記充電処理及び抽出処理の制御を行う制御手段とを備える
ことを特徴とする放送受信端末。
【請求項３】
請求項２に記載の放送受信端末において、
前記制御手段は、前記二次電池への充電処理を制御する第１制御手段と、前記視聴契約情報の抽出処理を制御する第２制御手段とを有し、
前記第１制御モードにおいては、前記第１制御手段と前記充電手段とに電源供給が行われると同時に前記第２制御手段と前記抽出手段とに電源供給が行われ、
前記第２制御モードにおいては、前記第１制御手段と前記充電手段とに電源供給が行われ、その後、前記第２制御手段と前記抽出手段とに電源供給が行われる
ことを特徴とする放送受信端末。
【請求項４】
映像又は音声情報に加え視聴契約情報を含む放送信号を受信し、前記視聴契約情報を元に有料放送の視聴が可能な放送受信端末の制御方法であって、
当該放送受信端末全体に対し給電を行う二次電池に充電する充電処理と、
前記充電処理によって得た電力によって前記放送信号を受信する受信処理と、
前記受信した放送信号のうち前記視聴契約情報を抽出する抽出処理と
前記受信した放送信号のうち前記映像又は音声情報を再生する再生処理と、
当該放送受信端末の待機状態において、前記二次電池への充電処理と同時に前記視聴契約情報の抽出処理を行う制御処理とを有する
ことを特徴とする放送受信端末の制御方法。
【請求項５】
映像又は音声情報に加え視聴契約情報を含む放送信号を受信し、前記視聴契約情報を元に有料放送の視聴が可能な放送受信端末の制御方法であって、
当該放送受信端末全体に対し給電を行う二次電池に充電する充電処理と、
前記充電処理によって得た電力によって前記放送信号を受信する受信処理と、
前記受信した放送信号のうち前記映像又は音声情報を再生する再生処理と、
前記受信した放送信号のうち前記視聴契約情報を抽出する抽出処理と、
前記二次電池への充電処理と同時に前記視聴契約情報の抽出処理を行う第１制御モードと、前記二次電池への充電処理の後に前記視聴契約情報の抽出処理を行う第２制御モードとのいずれかを選択する選択処理と、
当該放送受信端末の待機状態において、前記選択処理により選択された前記第１又は第２制御モードに応じて前記充電処理及び抽出処理の制御を行う制御処理とを有する
ことを特徴とする放送受信端末の制御方法。
【請求項６】
請求項５に記載の放送受信端末の制御方法において、
前記第１制御モードにおいては、前記充電処理のための電源供給を行うと同時に前記抽出処理のための電源供給を行い、
前記第二制御モードにおいては、前記充電処理のための電源供給を行い、その後、前記抽出処理のための電源供給を行う
ことを特徴とする放送受信端末の制御方法。
【発明の詳細な説明】
【技術分野】
【０００１】
本発明は、視聴契約情報を受信することにより、デジタル放送の有料番組の視聴が可能な放送受信端末及びその制御方法に関する。
【背景技術】
【０００２】
近年、米国や日本をはじめとする先進各国において、車や電車での移動中や屋外で楽しめる個人向けの放送サービスであるいわゆるモバイル放送（http://www.mbco.co.jp）が放送開始され普及してきている。特に、日本におけるモバイル放送では、音声番組が約６０ｃｈ、映像番組が９ｃｈ及びデータ放送チャンネルを含めた合計約７０ｃｈのマルチチャンネル放送をいつでも、何処でも楽しむことができるサービス体系を有している。
【０００３】
モバイル放送は、Ｓバンドと呼ばれる２．６ＧＨｚ帯の電波を使用するものであり、固定受信端末、携帯受信端末、車載受信端末等のあらゆる受信端末に向けての放送が可能となっている。
【０００４】
モバイル放送では、現在パラボラアンテナで受信している衛星放送の約１０倍という出力で電波が届くため、無指向性の小型アンテナでの受信が可能になる。また、全国同一放送なので、地域を移動した場合でもチャンネルの切り替えが不要となる。
【０００５】
また、上述した番組の配信には、７．２Ｍｂｐｓという高速なデータ伝送が利用される。また、モバイル放送では、赤道上空３万６０００キロメートルにある衛星からの電波を利用するため、ビル影や山間部、トンネル等で受信できないおそれがあるが、地上のビルの屋上等で受信した電波を再送信するギャップフィラーという仕組みが用意されている。
【０００６】
ギャップフィラーでは、衛星からの１２ＧＨｚ帯の電波をパラボラアンテナで受信し、２．６ＧＨｚに周波数変換して専用アンテナで再送信を行う。つまり、衛星からは、常時２種類の電波が出ていることになる。
【０００７】
一方で、地上波デジタルのモバイル機器向け放送も２００５年からスタートを予定している。このモバイル向けの地上波デジタル放送では１セグメント放送方式の採用が予定されており、ＰＤＡや携帯電話等の超小型携帯受信機器でもそれらのコンテンツの受信が可能になる。
【０００８】
ここで、１セグメント放送とは、地上波デジタル放送での１セグメントを使用するものである。すなわち、地上波デジタル放送で放送局に与えられる帯域は１３のセグメントに分けられる。そのうちの１２セグメントは通常の放送サービスに使われる。ハイビジョン放送（ＨＤ）を行うのであれば１２セグメントをまるまる使うことになるし、標準放送（ＳＤ）を行うのであれば４セグメントずつの３チャンネルが放送できる。
【０００９】
そこで、残る１セグメントを使用し、携帯電話等による移動受信サービスが行われることから、ワンセグ・モバイル（１セグメント放送）という呼ばれ方がされている。地上波放送がデジタル化されることによる視聴者側のメリットとしては、高画質・高音質のデジタルハイビジョン放送が視聴できることや、双方向のデータ放送が利用できることや、鮮明な画像で移動受信が可能になること等が挙げられる。
【００１０】
ところで、このようなデジタル放送にあっては、特に有料番組を視聴する場合、視聴契約情報となるＣＡ（Conditional Access）情報を受け取らないと放送受信を行うことができないようになっている。
【００１１】
このようなＣＡ情報は、有料番組とともに定期的に放送局から送信されるものであるが、その送信タイミングは受信加入者数や送信データの全データ量等により放送局側で決定されるため、放送受信端末側から見ればいつ送信されてくるのかが分からない。そのため、放送受信端末側では、ＣＡ情報を確実に受け取るために、まず少なくとも放送受信に関わる回路をＣＡ情報が受信できるまで動作させておく必要がある。
【００１２】
この場合、特に携帯用の放送受信端末にあっては、二次電池の電力が不足していると、少なくとも放送受信に関わる回路への電力供給が停止し、ＣＡ情報の受信ができなくなってしまうおそれがある。その際、二次電池への充電を行ってからＣＡ情報を受信することで、有料番組の視聴が可能となるが、二次電池への充電のための時間と充電後にＣＡ情報が受信できるまでの時間とが必要となり、購入後あるいは有料番組の契約後に直ちに見たい番組を見ようとしても、その充電の時間とＣＡ情報が受信できるまでの時間だけ待たされてしまうことも考えられる。
【００１３】
ちなみに、視聴契約情報を受信するものとして、特許文献１では、契約情報等の個別情報を一定期間複数回繰り返し伝送する個別情報データを含むデジタルテレビ信号を受信する際、デジタルテレビ信号受信手段の動作電源をオフした非動作状態時に、タイマー手段で設定された受信スタンバイ時間の間は、デジタルテレビ信号受信手段の動作電源を強制的にオンし、個別情報データを受信再生することで、自己宛に伝送される個別情報であるＥＭＭ(Entitlement Management Message)情報を確実に受信するようにしたデジタルテレビ放送受信装置を提案している。
【特許文献１】特開２０００−５９７５２号公報
【発明の開示】
【発明が解決しようとする課題】
【００１４】
ところが、特許文献１によるデジタルテレビ放送受信装置では、タイマー手段で設定された受信スタンバイ時間の間において、デジタルテレビ信号受信手段の動作電源を強制的にオンすることにより、無駄な電力消費を抑えることが可能となるが、ＥＭＭ情報（個別情報）の受信が不要である場合もタイマー手段で設定された受信スタンバイ時間の間は、強制的にデジタルテレビ信号受信手段の動作電源がオンされてしまうことになる。
【００１５】
そのため、このような技術を携帯用の放送受信端末に適用すると、視聴契約情報となるＥＭＭ情報（個別情報）を含むＣＡ情報の受信が不要である場合も放送受信に関わる回路がタイマー設定期間だけ強制的にオンされることになり、上述したように、二次電池の電力が不足していると、少なくとも放送受信に関わる回路への電力供給が停止し、ＣＡ情報の受信ができなくなってしまい、直ちに見たい番組を見ようとしても、充電の時間とＣＡ情報が受信できるまでの時間だけ待たされてしまうことになる。
【００１６】
ちなみに、携帯用の放送受信端末では、見たい番組がいつでも見れるように、常に二次電池が満充電に近い状態にあることが理想であり、そのためには有料番組を視聴するためのＣＡ情報の受信が必要であるときにのみ放送受信に関わる回路を動作させ、ＣＡ情報の受信が不要であるとき、放送受信に関わる回路を動作させないようにすることができれば、二次電池の充電状態によらずにユーザの好みのタイミングでＣＡ情報を迅速に取得することができるものと考えられる。
【００１７】
解決しようとする問題点は、視聴契約情報の受信が不要である場合も放送受信に関わる回路がタイマー設定期間だけ強制的にオンされるようにすると、二次電池の電力が不足している場合には、少なくとも放送受信に関わる回路への電力供給が停止し、ＣＡ情報の受信ができなくなってしまうことがあり、購入後あるいは有料番組の契約後に直ちに見たい番組を見ようとしても、充電の時間とＣＡ情報が受信できるまでの時間だけ待たされてしまうという点である。
【課題を解決するための手段】
【００１８】
本発明の放送受信端末は、映像又は音声情報に加え視聴契約情報を含む放送信号を受信し、前記視聴契約情報を元に有料放送の視聴が可能な放送受信端末であって、前記放送信号を受信する受信手段と、前記受信した放送信号のうち前記映像又は音声情報を再生する再生手段と、前記受信した放送信号のうち前記視聴契約情報を抽出処理する抽出手段と、当該放送受信端末全体に対し給電を行う二次電池に充電処理を行う充電手段と、当該放送受信端末の待機状態において、前記二次電池への充電処理と同時に前記視聴契約情報の抽出処理を行う制御モードを有した制御手段とを備えることを特徴とする。
このような構成では、制御手段により、制御モードに応じて二次電池への充電処理と同時に視聴契約情報の抽出処理が行われるため、購入後あるいは有料番組の契約後に直ちに見たい番組を見ようとするとき、二次電池の電力が不足している場合であっても、二次電池への充電が完了するまで待たずに、視聴契約情報を迅速かつ確実に取得することができ、二次電池の充電状態によらずにユーザの好みのタイミングで視聴契約情報を迅速に取得することができる。
本発明の放送受信端末は、映像又は音声情報に加え視聴契約情報を含む放送信号を受信し、前記視聴契約情報を元に有料放送の視聴が可能な放送受信端末であって、前記放送信号を受信する受信手段と、前記受信した放送信号のうち前記映像又は音声情報を再生する再生手段と、前記受信した放送信号のうち前記視聴契約情報を抽出処理する抽出手段と、当該放送受信端末全体に対し給電を行う二次電池に充電処理を行う充電手段と、前記二次電池への充電処理と同時に前記視聴契約情報の抽出処理を行う第１制御モードと、前記二次電池への充電処理の後に前記視聴契約情報の抽出処理を行う第２制御モードとのいずれかを選択する選択手段と、当該放送受信端末の待機状態において、前記選択手段により選択された前記第１又は第２制御モードに応じて前記充電処理及び抽出処理の制御を行う制御手段とを備えることを特徴とする。
このような構成では、制御手段により、第１又は第２制御モードに応じて充電処理及び抽出処理の制御が行われるため、ユーザが視聴契約情報の取得したい時期を自由に選択することができるとともに、二次電池の充電状態によらずにユーザの好みのタイミングで視聴契約情報を迅速に取得することができる。この場合、たとえば衛星から契約者順に周期的に送信される契約者情報を最も早いタイミングで取得することができ、充電処理等の必要性から次回の周期以降までの取得のタイミングを待つ必要がなくなる。これにより、ユーザは製品購入直後でも、充電をしながら一早く取得した視聴契約情報に基づいて、映像又は音声情報を視聴できるモードと、充電時間を短縮化した後で視聴契約情報を取得し映像又は音声情報を十分充電された状態で視聴できるモードのいずれかを、ユーザが自由に設定することができる。
また、請求項２に記載の放送受信端末において、前記制御手段は、前記二次電池への充電処理を制御する第１制御手段と、前記視聴契約情報の抽出処理を制御する第２制御手段とを有し、前記第１制御モードにおいては、前記第１制御手段と前記充電手段とに電源供給が行われると同時に前記第２制御手段と前記抽出手段とに電源供給が行われ、前記第２制御モードにおいては、前記第１制御手段と前記充電手段とに電源供給が行われ、その後、前記第２制御手段と前記抽出手段とに電源供給が行われるようにすることができる。
このような構成では、視聴契約情報を取得することなく充電処理を行うときにおいては、充電処理に必要な箇所に電源供給のみを行い、その後、視聴契約情報の抽出処理のために必要な電源供給を行うように制御しているので、充電時の消費電力を低減することができ、特に視聴契約情報を即座に取得する必要が無く充電処理を行っているときの待機消費電力を削減すると同時に、充電時間を短縮化することができる。
本発明の放送受信端末の制御方法は、映像又は音声情報に加え視聴契約情報を含む放送信号を受信し、前記視聴契約情報を元に有料放送の視聴が可能な放送受信端末の制御方法であって、当該放送受信端末全体に対し給電を行う二次電池に充電する充電処理と、前記充電処理によって得た電力によって前記放送信号を受信する受信処理と、前記受信した放送信号のうち前記視聴契約情報を抽出する抽出処理と前記受信した放送信号のうち前記映像又は音声情報を再生する再生処理と、当該放送受信端末の待機状態において、前記二次電池への充電処理と同時に前記視聴契約情報の抽出処理を行う制御処理とを有することを特徴とする。
このような構成では、二次電池への充電処理と同時に視聴契約情報の抽出処理が行われるため、購入後あるいは有料番組の契約後に直ちに見たい番組を見ようとするとき、二次電池の電力が不足している場合であっても、二次電池への充電が完了するまで待たずに、視聴契約情報を迅速かつ確実に取得することができ、二次電池の充電状態によらずにユーザの好みのタイミングで視聴契約情報を迅速に取得することができる。
本発明の放送受信端末の制御方法は、映像又は音声情報に加え視聴契約情報を含む放送信号を受信し、前記視聴契約情報を元に有料放送の視聴が可能な放送受信端末の制御方法であって、当該放送受信端末全体に対し給電を行う二次電池に充電する充電処理と、前記充電処理によって得た電力によって前記放送信号を受信する受信処理と、前記受信した放送信号のうち前記映像又は音声情報を再生する再生処理と、前記受信した放送信号のうち前記視聴契約情報を抽出する抽出処理と、前記二次電池への充電処理と同時に前記視聴契約情報の抽出処理を行う第１制御モードと、前記二次電池への充電処理の後に前記視聴契約情報の抽出処理を行う第２制御モードとのいずれかを選択する選択処理と、当該放送受信端末の待機状態において、前記選択処理により選択された前記第１又は第２制御モードに応じて前記充電処理及び抽出処理の制御を行う制御処理とを有することを特徴とする。
このような構成では、第１又は第２制御モードに応じて充電処理及び抽出処理の制御が行われるため、ユーザが視聴契約情報の取得したい時期を自由に選択することができるとともに、二次電池の充電状態によらずにユーザの好みのタイミングで視聴契約情報を迅速に取得することができる。この場合、たとえば衛星から契約者順に周期的に送信される契約者情報を最も早いタイミングで取得することができ、充電処理等の必要性から次回の周期以降までの取得のタイミングを待つ必要がなくなる。これにより、ユーザは製品購入直後でも、充電をしながら一早く取得した視聴契約情報に基づいて、映像又は音声情報を視聴できるモードと、充電時間を短縮化した後で視聴契約情報を取得し映像又は音声情報を十分充電された状態で視聴できるモードのいずれかを、ユーザが自由に設定することができる。
また、請求項５に記載の放送受信端末の制御方法において、前記第１制御モードにおいては、前記充電処理のための電源供給を行うと同時に前記抽出処理のための電源供給を行い、前記第二制御モードにおいては、前記充電処理のための電源供給を行い、その後、前記抽出処理のための電源供給を行うようにすることができる。
このような構成では、視聴契約情報を取得することなく充電処理を行うときにおいては、充電処理に必要な箇所に電源供給のみを行い、その後、視聴契約情報の抽出処理のために必要な電源供給を行うように制御しているので、充電時の消費電力を低減することができ、特に視聴契約情報を即座に取得する必要が無く充電処理を行っているときの待機消費電力を削減すると同時に、充電時間を短縮化することができる。
【発明の効果】
【００１９】
本発明の放送受信端末及びその制御方法によれば、制御手段により、制御モードに応じて二次電池への充電処理と同時に視聴契約情報の抽出処理が行われるため、購入後あるいは有料番組の契約後に直ちに見たい番組を見ようとするとき、二次電池の電力が不足している場合であっても、二次電池への充電が完了するまで待たずに、視聴契約情報を迅速かつ確実に取得することができる。
【００２０】
また、本発明の放送受信端末及びその制御方法によれば、制御手段により、第１又は第２制御モードに応じて充電処理及び抽出処理の制御が行われるため、ユーザが視聴契約情報の取得したい時期を自由に選択することができるとともに、二次電池の充電状態によらずにユーザの好みのタイミングで視聴契約情報を迅速に取得することができる。
【発明を実施するための最良の形態】
【００２１】
本実施形態での放送受信端末及びその制御方法では、制御手段により、制御モードに応じて二次電池への充電処理と同時に視聴契約情報の抽出処理が行われるようにし、購入後あるいは有料番組の契約後に直ちに見たい番組を見ようとするとき、二次電池の電力が不足している場合であっても、二次電池への充電が完了するまで待たずに、視聴契約情報を迅速かつ確実に取得することができるようにした。
【００２２】
また、本実施形態での放送受信端末及びその制御方法では、制御手段により、第１又は第２制御モードに応じて充電処理及び抽出処理の制御が行われるようにし、ユーザが視聴契約情報の取得したい時期を自由に選択することができるとともに、二次電池の充電状態によらずにユーザの好みのタイミングで視聴契約情報を迅速に取得することができるようにした。
【００２３】
以下、本発明の実施の形態について説明する。
図１は、本発明の放送受信端末の一実施形態を示す図、図２は、図１の放送受信端末による動作を説明するためのフローチャート、図３は、図１の放送受信端末における設定画面の一例を示す図である。
【００２４】
図１に示すように、放送受信端末は、アンテナ１、フロントエンド２、分離回路（DEMUX）３、音声処理部４、ＡＭＰ５、スピーカ６、映像処理部７、ＯＳＤ回路８、表示部９、メインマイコン１０、画面メモリ１１、サブマイコン１２、操作部１３、充電制御部１４、二次電池１５を備えている。ここで、放送受信に関わるメイン回路とは、少なくともフロントエンド２、分離回路（DEMUX）３である。また、点線で囲った領域はスタンバイモードのとき動作する部分を示し、一点鎖線で囲った領域は充電モードのとき動作する部分である。
【００２５】
また、フロントエンド２は受信手段を構成し、音声処理部４、ＡＭＰ５、スピーカ６、映像処理部７、ＯＳＤ回路８、表示部９は再生手段を構成し、分離回路（DEMUX）３は抽出手段を構成し、操作部１３は選択手段を構成し、充電制御部１４は充電手段を構成し、メインマイコン１０、サブマイコン１２は制御手段を構成している。さらに、メインマイコン１０は第２制御手段を構成し、サブマイコン１２は第１制御手段を構成している。
【００２６】
アンテナ１は、映像放送、音声放送及びデータ放送の各種チャンネルのＲＦ信号を受信する。フロントエンド２は、受信した各種チャンネルのうち、図示しないリモコン等によるユーザの選択操作に応じてその受信チャンネルを選択し、そのＲＦ信号をデジタル信号に変換した後、デスクランブルを行う。
【００２７】
分離回路（DEMUX）３は、フロントエンド２からのデジタル信号を、映像データ、音声データ、ＥＰＧ（電子番組表）情報、視聴契約情報としてのＥＭＭ情報（個別情報）を含むＣＡ情報（契約者情報）等のデータに分離する。音声処理部４は、分離回路（DEMUX）３からの音声データをデコードしアナログの音声信号に変換して出力する。
【００２８】
ＡＭＰ５は、音声処理部４からのアナログの音声信号を増幅する。スピーカ６は、ＡＭＰ５によって増幅された音声信号を出力する。映像処理部７は、分離回路（DEMUX）３からの映像データをデコードしアナログの映像信号に変換して出力する。ＯＳＤ回路８は、表示部９に対してオンスクリーン表示を行わせる。表示部９は、映像処理部７からの映像信号の表示と、オンスクリーン表示とを行う。
【００２９】
メインマイコン１０は、各部の動作を制御し、さらにサブマイコン１２との間でデータのやり取り行うとともに、ユーザの選択操作に応じて後述の充電モード、充電後スタンバイモード、スタンバイモードのいずれかのモードを実行する。
【００３０】
ここで、充電モードとは、メインシステム電源が『切』のとき、二次電池１５への充電のみを行い、ＣＡ情報の受信は行わない動作である。この場合、上述した一点鎖線で囲った領域の部分のみが動作される。
【００３１】
また、第２制御モードである充電後スタンバイモードとは、メインシステム電源が『切』のとき、二次電池１５への充電を高速で行い、充電終了後に、ＣＡ情報の受信に移行する動作である。この場合、まず上述した一点鎖線で囲った領域の部分のみが動作された後、上述した点線で囲った領域の部分が動作される。
【００３２】
また、第１制御モードであるスタンバイモードとは、メインシステム電源が『切』のとき、ＣＡ情報を受信状態としておき、同時に二次電池１５への充電も行う動作である。この場合、上述した点線で囲った領域の部分が動作される。
【００３３】
なお、音声出力と映像出力に関わる回路である、少なくとも音声処理部４、ＡＭＰ５、スピーカ６、映像処理部７、ＯＳＤ回路８、表示部９は、ユーザによってメインシステム電源が『入』とされたとき、メインマイコン１０によって動作されるようになっている。
【００３４】
画面メモリ１１には、表示部９に対してオンスクリーン表示を行わせるための画面データ等が格納されている。画面データとしては、後述の省エネ設定画面や省エネスタンバイ設定画面等である。サブマイコン１２は、メインシステム電源のＯＮ／ＯＦＦを管理するものであり、操作部１３からのメインシステム電源の入／切の選択やＯＳＤ上のモード選択等の情報をメインマイコン１０に通知するとともに、二次電池１５に対して充電が行われるとき充電制御部１４へ充電開始信号を出力する。操作部１３は、ユーザからのメインシステム電源の入／切の選択やＯＳＤ上のモード選択等の指示を受け付ける。
【００３５】
充電制御部１４は、サブマイコン１２からの充電開始信号を受け取ると、二次電池１５に対して充電を行わせるとともに、二次電池１５への充電が終了すると、その終了をサブマイコン１２に通知する。なお、二次電池１５への充電は、二次電池１５が装着されていて、さらに図示しない外部電源としてのＡＣアダプターの電源が供給されているときに行われる。また、二次電池１５への充電の終了は、二次電池１５への充電が終了したとき、ＡＣアダプターの電源の供給が停止したとき、二次電池１５が外されたときのいずれかで通知される。二次電池１５は、メインシステム電源とされるものであり、図示しないＡＣアダプターからの電源により充電されるとともに、放送受信端末本体に対して所定の部位に着脱自在に装着されるものである。
【００３６】
次に、放送受信端末による動作について説明する。
まず、図３（ａ）に示すような省エネ設定画面が表示部９にオンスクリーン表示されているものとする。この省エネ設定画面は、『オフタイマー設定』、『明るさ設定』、『スタンバイ設定』の項目を有した表示内容となっている。
【００３７】
次いで、図２に示すように、省エネ設定画面から『スタンバイ設定』の項目が選択されると、図３（ｂ）に示すような省エネスタンバイ設定画面が表示部９にオンスクリーン表示される（ステップＳ１）。この省エネスタンバイ設定画面は、『充電』、『充電後スタンバイ』、『スタンバイ』の項目を有した表示内容となっており、ユーザによっていずれかの項目が選択される選択画面でもある。
【００３８】
この省エネスタンバイ設定画面から『充電』、『充電後スタンバイ』、『スタンバイ』の項目のいずれかを選択することで（ステップＳ２）、充電モード、充電後スタンバイモード、スタンバイモードに移行することができる。
【００３９】
この場合、たとえば図示しないメモリ内に充電モード、充電後スタンバイモード、スタンバイモードのそれぞれのフラグを用意しておき、『充電』、『充電後スタンバイ』、『スタンバイ』の項目のいずれかが選択されたとき、それぞれのモードに対応するフラグを設定することで、充電モード、充電後スタンバイモード、スタンバイモードのいずれかに移行することができる（ステップＳ３〜Ｓ５）。
【００４０】
次いで、放送受信端末のメインシステム電源がＯＦＦであることを検出した後（ステップＳ６）、ＡＣアダプターが動作しているか否かの確認が行われる（ステップＳ７）。そして、ＡＣアダプターが動作していることが確認されると、（ステップＳ８）のスタンバイモードフラグ判別に進むが、ＡＣアダプターが動作していない場合は（ステップＳ９）のスタンバイモードフラグがスタンバイモードか否かの判別に進む。
【００４１】
ここで、（ステップＳ８）のスタンバイモードフラグ判別においては、ユーザにより設定されたスタンバイモードのフラグを判別して各モード処理へ進む。すなわち、そのフラグが充電のモードであれば充電モードに進み、充電後スタンバイのモードであれば、充電後スタンバイモードに進み、スタンバイのモードであればスタンバイモードに進む。
【００４２】
ここで、まず充電モードは、（ステップＳ９）でのスタンバイモードフラグがスタンバイモードでない場合も実行される処理であり、その処理が実行されるとき、メインマイコン１０からサブマイコン１２へメインシステム電源終了要求が発行される（ステップＳ１０）。ここでの終了理由は、メインシステム電源終了要求の発行に含まれるものであり、充電待機となる。
【００４３】
このとき、サブマイコン１２は、メインシステム電源をＯＦＦし（ステップＳ１１）、充電待機状態となる（ステップＳ１２）。ここでの充電待機とは、一般的な待機状態であり、充電の条件が揃った場合に充電を開始したり、メインシステム電源がＯＮされたときにメインシステム電源を起動したりすることができる状態である。
【００４４】
一方、充電後スタンバイモードでは、充電中であるか否かが判別され（ステップＳ１３）、充電中である場合はメインマイコン１０からサブマイコン１２へメインシステム電源終了要求が発行され（ステップＳ１４）、充電中でなければ後述のスタンバイモードに移行する。なお、ここでの終了理由は、上記同様に、メインシステム電源終了要求の発行に含まれるものであり、充電後起動となる。
【００４５】
サブマイコン１２がメインシステム電源終了要求を受け取ると、メインシステム電源をＯＦＦとし（ステップＳ１５）、まず充電モードに進む（ステップＳ１６）。ここでは、サブマイコン１２が充電モードを低速から高速に切り替える。これは、充電モードではＣＡ情報の受信が不要となり、放送受信に関わるメイン回路である上述した少なくともフロントエンド２、分離回路（DEMUX）３の動作が停止されることから、ＡＣアダプターの定格での高速充電が可能となるためである。
【００４６】
充電中は、サブマイコン１２により充電制御部１４からの充電終了通知が監視され（ステップＳ１７）、充電終了通知を受け取ると、メインシステム電源がＯＮされる（ステップＳ１８）。このとき、サブマイコン１２からメインマイコン１０へ充電後起動とした起動理由が通知される（ステップＳ１９）。
【００４７】
メインマイコン１０が充電後起動とした起動理由を受け取ると、スタンバイモードに移行する。なお、ここでのスタンバイモードは、（ステップＳ８）でのスタンバイモードフラグ判別において、スタンバイのモードであるとき、又は（ステップＳ１３）で充電中でないと判別されたときも移行する。
【００４８】
すなわち、メインマイコン１０は、スタンバイモードに移行するとき、不必要な回路の動作を停止させる（ステップＳ２０）。ここでの不必要な回路とは、音声出力と映像出力に関わる回路であり、少なくとも音声処理部４、ＡＭＰ５、スピーカ６、映像処理部７、ＯＳＤ回路８、表示部９が含まれる。ただし、スタンバイモードでは、ＣＡ情報が受信状態とされるため、放送受信に関わるメイン回路である上述した少なくともフロントエンド２、分離回路（DEMUX）３が動作される。 
【００４９】
次いで、ＡＣアダプターが動作しているか否かが判別される（ステップＳ２１）。これは、スタンバイモードではＡＣアダプター動作を必要条件としているためである。このとき、ＡＣアダプターが動作していないと判別されると、スタンバイモード解除に進む。このとき、メインマイコン１０からサブマイコン１２へメインシステム電源終了要求が発行される（ステップＳ２２）。この場合の終了理由は、ＡＣアダプター電圧監視である。このモードは、ＡＣアダプターが接続されたときにメインシステム電源を起動するためのものである。
【００５０】
このとき、サブマイコン１２がメインシステム電源をＯＦＦし、ＡＣアダプターの電圧監視を行う（ステップＳ２３、Ｓ２４）。そして、ＡＣアダプターが接続されてＡＣアダプターの電圧が得られると、サブマイコン１２によりメインシステム電源がＯＮされる（ステップＳ２５）。これにより、上述した放送受信に関わるメイン回路である上述した少なくともフロントエンド２、分離回路（DEMUX）３が動作され、ＣＡ情報が受信状態とされる。 
【００５１】
このとき、サブマイコン１２からメインマイコン１０へＡＣアダプターの電圧を検出したとする起動理由が通知される（ステップＳ２６）。その後、メインマイコン１０が再度スタンバイモードに移行する。
【００５２】
なお、スタンバイモードは、ユーザがメインシステム電源を『入』にしたときに解除される。このとき、メインマイコン１０により、上述した音声出力と映像出力に関わる回路である、少なくとも音声処理部４、ＡＭＰ５、スピーカ６、映像処理部７、ＯＳＤ回路８、表示部９が動作される。
【００５３】
このように、本実施形態では、メインマイコン１０により、第１又は第２制御モードに応じて充電処理及び視聴契約情報の抽出処理の制御が行われるようにしたので、ユーザが視聴契約情報の取得したい時期を自由に選択することができるとともに、二次電池１５の充電状態によらずにユーザの好みのタイミングで視聴契約情報を迅速に取得することができる。
【００５４】
具体的には、メインマイコン１０により、メインシステム電源が切のとき、サブマイコン１２に対し二次電池１５への充電を指示し、かつ受信に関わる回路及び再生に関わる回路の動作を停止させる充電モードと、メインシステム電源が切のとき、サブマイコン１２に対し二次電池１５への高速充電を指示し、充電終了後は受信に関わる回路を動作させてＣＡ情報の受信に移行する充電後スタンバイモード（第２制御モード）と、メインシステム電源が切のとき、受信に関わる回路を動作させてＣＡ情報を受信状態とし、同時にサブマイコン１２に対し二次電池１５への充電を指示するスタンバイモード（第１制御モード）のいずれかが実行されるようにしたので、ユーザに対しＣＡ情報の受信が必要である場合と不要である場合のいずれかのモードを選択させることができる。
【００５５】
この場合、たとえば衛星から契約者順に周期的に送信されるＣＡ情報を最も早いタイミングで取得することができ、充電処理等の必要性から次回の周期以降までの取得のタイミングを待つ必要がなくなる。これにより、ユーザは製品購入直後でも、充電をしながら一早く取得したＣＡ情報に基づいて、映像又は音声情報を視聴できるモードと、充電時間を短縮化した後でＣＡ情報を取得し映像又は音声情報を十分充電された状態で視聴できるモードのいずれかを、ユーザが自由に設定することができる。
【００５６】
また、充電モードが実行されることにより、メインシステム電源がユーザによって入にされない場合は二次電池１５への充電のみが行われるため、二次電池１５の電力を無駄に消費してしまうことがなくなる。
【００５７】
また、充電後スタンバイモードが実行されることにより、二次電池１５への高速充電が優先され、充電終了後は自動的にＣＡ情報の受信に移行することができるので、急速充電に有効となる。
【００５８】
また、スタンバイモードが実行されることにより、二次電池１５への充電とＣＡ情報の受信とが同時に進められるため、購入後あるいは有料番組の契約後に直ちに見たい番組を見ようとするとき、二次電池１５の電力が不足している場合であっても、二次電池への充電が完了するまで待たずに、視聴契約情報を迅速かつ確実に取得することができる。
【００５９】
なお、本実施形態では、視聴契約情報としてＣＡ情報とした場合について説明したが、ＣＡ情報以外の視聴契約情報であってもよいことは勿論である。
【産業上の利用可能性】
【００６０】
個人向けの放送サービスであるいわゆるモバイル放送や地上波デジタルのモバイル機器向け放送のための放送受信端末に限らず、ＢＳ，ＣＳ等の衛星放送を受信する放送受信端末にも適用可能である。
【図面の簡単な説明】
【００６１】
【図１】本発明の放送受信端末の一実施形態を示す図である。
【図２】図１の放送受信端末による動作を説明するためのフローチャートである。
【図３】図１の放送受信端末における設定画面の一例を示す図である。
【符号の説明】
【００６２】
２  フロントエンド 
３  分離回路 
４  音声処理部 
５  ＡＭＰ 
６  スピーカ 
７  映像処理部 
８  ＯＳＤ回路 
９  表示部 
１０  メインマイコン 
１２  サブマイコン 
１３  操作部 
１４  充電制御部
１５  二次電池 
【図１】
2006140692.tif 000003
【図２】
2006140692.tif 000004
【図３】
2006140692.tif 000005